(57)【要約】      （修正有）【課題】距離競技において、同じレーンで練習する多数の競技者に対し、所定ポイントに於けるラップタイムをＬＥＤで発光表示させるストップウォッチ機能付きペースメーカ装置を提供する。【解決手段】表示部発光信号ユニットを競技に応じて、適当な間隔に設置し、制御装置からタイムデータを送信する。例えば、水泳の場合は１ｍ間隔に光信号ユニットを設置し、スタート後各光信号ユニット設置位置までの到達時間を制御装置で計算し、各ユニット位置への到達時前後の時刻を対応する３個のＬＥＤで点灯させる。ＬＥＤの点灯時間や色、輝度で変化させることで、競技者は光信号ユニットを見る位置で「早い」か「遅い」かを確認できる光ストップウォッチ機能を持たせた。また、同一レーンで多数の競技者が連続して練習できるようにするため、発光信号ユニットに信号処理機能を持たせたことにより、適当な時間間隔で連続して練習可能な制御ソフト機能を持たせた。【選択図】図１
2017080355.tif 000002
【特許請求の範囲】
【請求項１】
光信号ユニットに複数のＬＥＤを設け、各ＬＥＤの点滅、点灯時間、発光色、輝度を選択して発光表示することにより、競技者が目標タイム、自己ベストタイム、自己平均タイムと競技中の自己の競技時間とを比較確認できることを特徴とする競技用ペースメーカー装置。
【請求項２】
１台の制御装置をもって、同一レーン内の複数の競技者に対し、個々に目標タイム、自己ベストタイム、自己平均タイム情報が伝達できる、複数競技者用タイム制御用信号処理ソフトを搭載したことを特徴とする請求項１に記載の競技用ペースメーカー装置。
【請求項３】
ＬＥＤの発光表示を競技者が視認し易くする為、防水チューブにレンズ機能を備えたことを特徴とする請求項１から２いずれか１項に記載の競技用ペースメーカー装置。
【請求項４】
同一レーンの往復や周回競技時に、周回数が確認できる周回パネルを設けたことを特徴とする請求項１から３いずれか１項に記載の競技用ペースメーカー装置。
【発明の詳細な説明】
【技術分野】
【０００１】本発明は、練習中の多数の競技者が、１：目標タイム、２：自己ベストタイム、３：自己平均タイムの「３タイム」とのズレを競技中に設置された光信号ユニットから光信号としてこれらの情報を同時に受けられるようにした競技練習者用ストップウォッチ機能付きの競技用ペースメーカー装置である。
【背景技術】
【０００２】これまで、タイムとの随時比較は以下の２方式が知られている。
（１）画像合成により、ＴＶディスプレイ上に世界記録等の記録ラインを表示する画像合成方式。
（２）目標タイムに合わせて、タイム表示板又はランプを次々に点灯表示させる光点灯方式。
【先行技術文献】
【特許文献】
【０００３】
【特許文献１】特開平８−１７３５８７（図１）
【特許文献２】特開２００２−２９１９５５（図１）
【発明の概要】
【発明が解決しようとする課題】
【０００４】上記で示した装置では、次のような課題がある。
（１）の場合：
競技者本人は競技中タイムを確認することが出来ない。その為、競技者の体力疲労状況とタイムとの関係等を練習中認識することが出来ない。
（２）の場合：
設置した表示板に目標タイムまたはスタート後のその位置までのラップタイムを確認できるが、競技者自身の自己ベストタイムや自己平均タイム等からのズレ時間を確認することはできない。また、同一レーンで利用できる競技者は一名である。【０００５】本発明の目的は、競技中の競技者本人が事前に設定した上記の、１：目標タイム、２：自己ベストタイム、３：自己平均タイムの３タイム（以下「３タイム」）より「早い」か「遅い」かのズレを常時確認できる点と、同一レーンで連続して複数の競技者が、練習することを可能にするデータ処理機能ソフトが装備されている点の２点の機能を装備した競技用ペースメーカー装置を提供することである。
【課題を解決するための手段】
【０００６】上記目的を達成するため、競技に応じて必要な間隔に設置した光信号ユニットへ、パソコンと制御ソフトで構成される制御装置により、スタート点からその当該光信号ユニット設置位置に達する上記「３タイム」の時間を計算してデータ送信し、各光信号ユニットでは送られてきた「３タイム」のデータを処理し、「３タイム」の各タイムに対応させた３個のＬＥＤで、発光色、点滅、点灯、輝度の４つのパラメータの組合せで発光表示させることで、競技者毎に設定した「３タイム」からのズレを知らせるストップ・ウォッチ機能を設けている。
光信号ユニットには複数のＬＥＤを設け、各ＬＥＤにおいて、点滅、点灯時間、発光色、輝度を選択して発光表示することにより、競技者が目標タイム、自己ベストタイム、自己平均タイムと競技中の自己の競技時間とを比較確認できることを特徴とする競技用ペースメーカー装置である。【０００７】また、任意の間隔でスタートさせた複数の競技者に対し、各人に設定した「３タイム」を知らせることが可能な、「複数競技者用タイム制御用信号処理ソフト」を用いることも特徴とする。
「３タイム」のデータを受けた各光信号ユニットでは、当該光信号ユニット番地当てのデータが処理され、所定の時間になると、１：目標タイム  →  ２：自己ベストタイム  →  ３：自己平均タイムの順に割当てたられた各ＬＥＤが発光表示を開始する。各光信号ユニットの発光時刻は、制御装置の同期信号に合わせて表示する。【０００８】例えば、各光信号ユニットのＬＥＤ点灯は、「３タイム」の各タイムに応じて、順次以下の様に点灯させる。
・到達時刻前：点滅。数秒前から１秒間隔で０．２秒間指定した色で点滅。
・到達時刻  ：点灯。到達前の点滅時より輝度ＵＰを上げ、同色で１秒間点灯。
・到達時刻後：点滅。１秒後から１秒間隔で０．２秒間、到達時刻前と異なる色で点滅。
各設定は制御ＰＣで任意に変更可能である。
また、ＬＥＤの点灯色も競技者毎に任意に設定が可能である。【０００９】雨天時や水泳競技でも使用できるように、バスラインを透明の防水チューブで包装している。防水チューブでは、競技者が視認し易い様に一部をレンズ構造にしている。また、オモリを設置して沈めたり、オモリを外して浮かべることが可能である。【００１０】遠泳競技やトラック競技等周回を要する競技では、周回数を確認するためのセンサーを設置している。水泳では紫外線センサー、トラック競技では無線ＩＤカードを競技者のタスキや腕等に携帯させ、スタート点通過時に信号を制御装置に送り「周回処理ソフト」で処理し、残回数を周回パネルに表示させることが可能である。トラックの場合は、ゼッケン番号と残回数を表示させることも可能である。【００１１】屋外競技時に制御装置と光信号ユニット間の通信に無線ＬＡＮ等を用い、無線通信を利用可能にするため、使用前に各光通信ユニットと通信を行い、通信遅延時間を自動的に測定し補正する「無線ＬＡＮ遅延処理ソフト」が利用可能である。
【発明の効果】
【００１２】本発明によれば、練習中の競技者は競技中、近傍の光信号ユニットの３個のＬＥＤの発光パターンとして、色、点滅、点灯、輝度を選択し発光表示することにより「３タイム」の情報を随時確認することが可能である。
競技者は情報を確認した時点で、自身のタイムが「３タイム」から「早い」か「遅い」かのズレを競技中に確認することが可能である。
また、競技者は競技中に「３タイム」からのズレを確認できることから、各地点での体力的な課題や競技中の戦略的課題等を認識することができる。【００１３】同一レーンで複数の競技者が利用可能であるため、施設利用効率が改善できることからコストパフォーマンスにも優れている。
【図面の簡単な説明】
【００１４】
【図１】本発明の水泳競技時の構成を示すブロック図である。
【図２】本発明のバスケーブル付き光信号ユニットの構成図である。
【図３】本発明の防水チューブの構造例を示す断面図である。
【発明を実施するための形態】
【００１５】  以下に図面を参照して実施例について説明する。
【実施例１】
【００１６】図１は、本発明の光ウォッチ・ペースメーカーの使用例の構成を示すブロック図である。制御装置２と光信号ユニット５はバスライン３で接続され、防水チューブ４で防水処理されている。スタート合図用のスピーカー６と折返し用センサー７及びゴール用センサー８を接続可能である。スタートは制御装置２よりスタート信号がスピーカー６に送られる。また電子ピストルの連動も可能である。これらの制御が、制御装置１台で可能となっている。【００１７】図２の光信号ユニット５は、信号処理２４、バスコネクタ２５を搭載した光信号ユニット基板２０とバスコネクタ２７付きバスケーブル２６で構成されている。
光信号ユニット基板２０には多色ＬＥＤを位置をずらして３個搭載している。例えば、ＬＥＤ２１は目標タイム用、ＬＥＤ２２は自己ベストタイム用、ＬＥＤ２３は自己平均タイム用とすることで、「３タイム」を競技者は発光表示されるＬＥＤの位置で識別し、タイムを確認することができる。
また、各ＬＥＤの発光色を変えることで、競技者は視認し易くなり、何タイムが表示されているか、鮮明に識別することが可能になっている。【００１８】図３は、防水チューブである。上部に競技者１が光信号を視認し易くする為、レンズ３１構造を採用することも可能である。
オモリ３２は、防水チューブをプールの底に沈める際に使用する。オモリを使用しないで浮上するようにしてもよく、背泳競技でロープに沿わせて設置し、使用することも可能である。
その際は、背泳用の制御ソフトを使用する。【００１９】競技者１は制御装置２に接続されたスピーカー６の制御装置２からのスピーカー音でスタートする。
競技者１が、制御装置２に事前に入力設定した「３タイム」（目標、ベスト、平均）情報に基づき制御装置２で計算された各光信号ユニット５設置位置での「到達情報データ」が、各光信号ユニット５に送られ、信号処理基板２０で処理されＬＥＤ２１、２２、２３各々に点灯信号が送られ発光表示する。【００２０】各「到達情報データ」は、到達時刻の前後数秒間の点滅情報と到達時刻の点灯情報を有する。データは制御装置２で設定することが可能である。設定は、到達前では、点灯開始時間、点灯時間、間隔、点灯色等を設定する。到達時刻設定では、点灯時間（基本１秒間）、点灯色、輝度アップ量を設定する。到達後設定では、到達前同様に、点灯時間、間隔、点灯色、点灯終了時間を設定する。
「３タイム」各々のタイムに対してこの設定を行う。
例えば、各光信号ユニットのＬＥＤ発光表示を、「３タイム」に応じて順次以下の様に点灯させる。
・到達時刻前：点滅。数秒前から１秒間隔で０．２秒間指定した色で点滅。
・到達時刻  ：点灯。到達前の点滅時より輝度を上げ、同色で１秒間点灯。
・到達時刻後：点滅。１秒後から１秒間隔で０．２秒間、到達時刻前とは異なる色で点滅。【００２１】複数競技者用タイム制御用信号処理ソフトを搭載した制御装置２は、バスライン３で各光信号ユニット５に接続され、個々に光信号ユニット５を制御することで、競技者１、１’の様に複数の競技者を任意間隔で次々に競技をスタートさせることが可能である。間隔が近い場合や競技者の視力によりＬＥＤ２１，２２，２３の発光色は競技者毎に設定することができる。【００２２】１人の長距離競技者１に適用する際は、備え付けのタッチセンサー或いは装置の赤外線センサー７、８を利用する。長距離設定では、復路でも光信号ユニットを利用し往路同様に「３タイム」を表示する。ゴール２地点では周回数を水底の周回パネル９で確認できる。【００２３】水泳用の光信号ユニット５のバスケーブル３は、通常１ｍまたは２ｍの定尺であるが、陸上競技等では無線ＬＡＮ等と通信可能なソフト機能とその際発生する信号処理に伴う遅れ時間を事前に調整する「無線ＬＡＮ遅延処理ソフト」を備えている。
【産業上の利用可能性】
【００２４】本発明はバスライン、無線ＬＡＮの両方が利用可能であるため、量産工場内の生産ラインのタクト管理用装置として利用することも可能である。
【符号の説明】
【００２５】１、１’…競技者
２…制御装置
３…バスライン
４…防水チューブ
５…光信号ユニット
６…スピ−カ
７…センサー１
８…センサー２
９…周回パネル
２０…光信号処理基板
２１…ＬＥＤ（目標タイム用）
２２…ＬＥＤ（自己ベストタイム用）
２３…ＬＥＤ（自己平均タイム用）
２４…信号処理ＩＣ
２５…バスコネクタ（オス）
２６…バスケーブル
２７…バスコネクタ（メス）
３１…レンズ
３２…オモリ
【図１】
2017080355.tif 000003
【図２】
2017080355.tif 000004
【図３】
2017080355.tif 000005